(57)【特許請求の範囲】
【請求項１】
衣類を回転撹拌させる回転ドラムと、前記回転ドラムを回転させるモータと、前記回転ドラム内へ熱風を導入し排出させる送風手段と、前記モータと前記送風手段との間に張設されたベルトと、前記熱風の熱源となるガス燃焼部と、前記ガス燃焼部の温度を検知する燃焼部温度検知手段と、異常が生じたとき前記異常を報知する報知手段と、前記燃焼部温度検知手段からの出力を入力し前記送風手段、ガス燃焼部および報知手段を制御する制御手段とを備え、前記制御手段は、着火動作開始後、前記燃焼部温度検知手段により検知した温度が所定時間内にある一定値まで上がらないか、またはある一定値以上上昇変化しない場合前記報知手段により不着火異常の報知をし、前記着火動作開始後、前記燃焼部温度検知手段により検知した温度が所定時間内にある一定値まで上がるか、またはある一定値以上上昇変化した後、前記燃焼部温度検知手段により検知した温度がある一定値まで下がるか、またはある一定値以上下降変化した場合報知手段により立ち消え異常の報知をし、前記ガス燃焼部の不着火異常または立ち消え異常が連続して生じたとき、前記連続して生じた回数が所定回数であれば、前記報知手段により前記不着火異常の報知および立ち消え異常の報知と異なる前記ベルトの外れ異常の報知するように構成したガス衣類乾燥機。
【請求項２】
制御手段は、報知手段により送風手段の異常が生じたことを所定時間報知している間は運転を行わず、所定時間報知した後、乾燥機本体への通電を切りにするように構成した請求項１記載のガス衣類乾燥機。
【請求項３】
乾燥機本体への通電を入り切りする電源投入手段を備え、制御手段は、送風手段の異常を報知している間に前記電源投入手段により前記乾燥機本体への通電を切りにされた場合、その後通電を入りにされると、送風手段の異常を所定時間報知し、報知中は運転を行わないように構成した請求項２記載のガス衣類乾燥機。
【発明の詳細な説明】
【０００１】
【発明の属する技術分野】
本発明は、ガス燃焼部の異常を検知する手段をもつガス衣類乾燥機に関するものである。
【０００２】
【従来の技術】
従来、ガス衣類乾燥機では、回転ドラム内へ熱風を導入し、排出させるファンを回転させるファンベルトが運転開始する前より外れている場合、熱風の熱源であるガス燃焼部で空気が循環せず酸欠状態になる。そのため、ガス燃焼部は、着火しようとしても炎が点かなかったり、たとえ炎が点いてもしばらくして炎が消えてしまったりする。
【０００３】
【発明が解決しようとする課題】
このような従来のガス衣類乾燥機では、ファンベルトが外れていることが原因で、ガス燃焼部が不着火または立ち消えになった場合に、ファンベルト外れを異常報知しなければならないにもかかわらず、ガス燃焼部の不着火または立ち消えを検知し、報知していたため、異常の原因を特定することができず、補修に時間がかかるという問題を有していた。
【０００４】
本発明は上記課題を解決するもので、ファンベルトが外れている場合、ファンベルト外れを異常報知することを目的としている。
【０００５】
【課題を解決するための手段】
本発明は上記目的を達成するために、衣類を回転撹拌させる回転ドラムと、前記回転ドラムを回転させるモータと、前記回転ドラム内へ熱風を導入し排出させる送風手段と、前記モータと前記送風手段との間に張設されたベルトと、前記熱風の熱源となるガス燃焼部と、前記ガス燃焼部の温度を検知する燃焼部温度検知手段と、異常が生じたとき前記異常を報知する報知手段と、前記送風手段、ガス燃焼部および報知手段を制御する制御手段とを備え、前記制御手段は、着火動作開始後、前記燃焼部温度検知手段により検知した温度が所定時間内にある一定値まで上がらないか、またはある一定値以上上昇変化しない場合前記報知手段により不着火異常の報知をし、前記着火動作開始後、前記燃焼部温度検知手段により検知した温度が所定時間内にある一定値まで上がるか、またはある一定値以上上昇変化した後、前記燃焼部温度検知手段により検知した温度がある一定値まで下がるか、またはある一定値以上下降変化した場合報知手段により立ち消え異常の報知をし、前記ガス燃焼部の不着火異常または立ち消え異常が連続して生じたとき、前記連続して生じた回数が所定回数であれば、前記報知手段により前記不着火異常の報知および立ち消え異常の報知と異なる前記ベルトの外れ異常の報知するように構成したものである。
【０００６】
これにより、着火動作をしているのに着火しない、または、着火したのに立ち消えするという異常が連続で所定回数以上起こった場合、送風手段の異常、すなわち、ファンベルトが外れているという異常を報知することができる。
【０００７】
【発明の実施の形態】
本発明の請求項１記載の発明は、衣類を回転撹拌させる回転ドラムと、前記回転ドラムを回転させるモータと、前記回転ドラム内へ熱風を導入し排出させる送風手段と、前記モータと前記送風手段との間に張設されたベルトと、前記熱風の熱源となるガス燃焼部と、前記ガス燃焼部の温度を検知する燃焼部温度検知手段と、異常が生じたとき前記異常を報知する報知手段と、前記燃焼部温度検知手段からの出力を入力し前記送風手段、ガス燃焼部および報知手段を制御する制御手段とを備え、前記制御手段は、着火動作開始後、前記燃焼部温度検知手段により検知した温度が所定時間内にある一定値まで上がらないか、またはある一定値以上上昇変化しない場合前記報知手段により不着火異常の報知をし、前記着火動作開始後、前記燃焼部温度検知手段により検知した温度が所定時間内にある一定値まで上がるか、またはある一定値以上上昇変化した後、前記燃焼部温度検知手段により検知した温度がある一定値まで下がるか、またはある一定値以上下降変化した場合報知手段により立ち消え異常の報知をし、前記ガス燃焼部の不着火異常または立ち消え異常が連続して生じたとき、前記連続して生じた回数が所定回数であれば、前記報知手段により前記不着火異常の報知および立ち消え異常の報知と異なる前記ベルトの外れ異常の報知するように構成したものであり、着火動作をしているのに着火しない、または、着火したのに立ち消えするという異常が連続で所定回数以上起こった場合、不着火異常報知または立ち消え異常報知とは別に、送風手段の異常、すなわち、ファンベルトが外れているという異常を報知することができる。
【０００８】
請求項２に記載の発明は、上記請求項１に記載の発明において、制御手段は、報知手段により送風手段の異常が生じたことを所定時間報知している間は運転を行わず、所定時間報知した後、乾燥機本体への通電を切りにするようにしたものであり、異常報知中は着火動作をさせることができないので、ファンベルトが外れている場合、着火動作の繰り返しを防ぐことができる。
【０００９】
請求項３に記載の発明は、上記請求項１または２に記載の発明において、乾燥機本体への通電を入り切りする電源投入手段を備え、制御手段は、送風手段の異常を報知している間に前記電源投入手段により前記乾燥機本体への通電を切りにされた場合、その後通電を入りにされると、送風手段の異常を所定時間報知し、報知中は運転を行わないようにしたものであり、異常報知中に電源を切られ、すぐ電源を入れられた場合でも、所定時間は着火動作をさせないので、着火動作の繰り返しを防ぐことができる。
【００１０】
【実施例】
以下、本発明の実施例について、図面を参照しながら説明する。
【００１１】
（実施例１）
図２に示すように、乾燥機本体１は、下部に駆動源となるモータ２を設けており、このモータ２と乾燥機本体１の背面側に設けたファン（送風手段）３およびこのファン３の前方に設けた回転ドラム４との間にそれぞれベルト５、６を張設して、モータ２の駆動によりファン３および回転ドラム４を回転させるようにしている。また、乾燥機本体１の前方下部に熱源となるバーナ（ガス燃焼部）７を配設し、またその燃焼量を制御するために比例制御弁８を設けている。
【００１２】
ドラム前板９は、回転ドラム４を前面で回転自在に支持するもので、その平面部に多数の熱風穴１０を設け、バーナ７の燃焼による熱風を燃焼筒１１により熱風穴１０まで導き、回転ドラム４内に流入させて被乾燥物（衣類）を加熱乾燥する。この回転ドラム４内の熱風は、ファン３によって排気ガイド１２に送り出され、乾燥機本体１の外に排出する。
【００１３】
電極１３は、運転中は回転ドラム４内の衣類に接触する位置に配設されている。この電極１３は一対の導電部材とその間の絶縁部材（いずれも図示せず）により構成され、導電部材間の抵抗値を検出することによって回転ドラム４内の衣類の乾燥状態を検知する。
【００１４】
つぎに、図１に示すように、燃焼部温度検知手段１４は、バーナ７の燃焼部に配設した熱電対１５を接続し、熱電対１５の熱起電力の検知で炎の状態を判定している。熱風温度検知手段１６は、バーナ７の近傍に配設したサーミスタ１７を接続し、バーナ７で加熱された熱風の温度を検知するようにしている。
【００１５】
乾燥検知手段１８は、電極１３や排気温度を検知する排気温度検知手段１９とによって回転ドラム４内の衣類の乾燥状態を検知する。電源投入手段２０は、復帰コイル（図示せず）を有する機械式の電源スイッチ２０ａ（図３参照）により構成しており、手動で乾燥機本体１への通電を入り切りすることができ、また復帰コイルに通電することにより乾燥機本体１への通電を切ることができる。
【００１６】
入力設定手段２１は、運転コースなどを入力設定するもので、図３に示すように、ふんわり切換スイッチ２１ａ、タイマースイッチ２１ｂ、コーススイッチ２１ｃ、スタート一時停止スイッチ２１ｄで構成している。記憶手段２２は情報を保持するもので、通常、不揮発性メモリー等を用いている。
【００１７】
駆動手段２３は、モータ２、バーナ７、比例制御弁８、電源投入手段２０などを制御する。表示手段（報知手段）２４は、図３に示すように、設定された内容などを表示するフィルター目詰まり報知ランプ２４ａ、ふんわりキープ表示ランプ２４ｂ、残り時間表示ランプ２４ｃ、コース表示ランプ２４ｄ〜２４ｇ、燃焼表示ランプ２４ｈなどで構成している。
【００１８】
制御手段２５は、入力設定手段２１によるスイッチ入力データに基づき、表示手段２４によりその内容を表示する。また、制御手段２５は、乾燥検知手段１８による乾燥データや排気温度検知手段１９による温度データに基づき、駆動手段２３を介してモータ２、バーナ７、比例制御弁８、電源投入手段２０などを制御する。
【００１９】
制御手段２５は、バーナ７の着火動作を行った際に、熱電対１５による温度データが所定時間（たとえば、２０秒）内に、ある一定値にまで上がるか、または、ある一定値以上上昇変化すると、正常に着火したと検知して、燃焼表示ランプ２４ｈを点灯させる。所定時間内に検知できなかった場合、不着火異常であるとして、表示手段２４で報知する。図４（ａ）はその表示の一例であり、２つの表示「Ｕ」、「３１」を交互に点滅させる。
【００２０】
制御手段２５は、正常に着火したと検知した後、燃焼を続けるように駆動手段２３を制御しているにもかかわらず、熱電対２１による温度データが、ある一定値にまで下がるか、または、ある一定値以上下降変化すると、立ち消え異常であるとして表示手段２４で報知する。図４（ｂ）はその表示の一例であり、２つの表示「Ｕ」、「３２」を交互に点滅させる。
【００２１】
ここで、モータ２とファン３との間に張設されたベルト５が外れている時、ファン３が回転せず、回転ドラム４、バーナ７の空気が循環せず、バーナ７は酸欠状態となって、着火時に不着火となり、また、着火しても短時間のうちに立ち消えが起こるので、制御手段２５は、燃焼部温度検知手段１４の出力により、着火毎にこの不着火または着火して所定時間（たとえば、２分）内の立ち消えを判定し、記憶手段２２に記憶しておき、所定回数（たとえば、３回）連続している場合は、不着火および立ち消え異常を報知せず、ファンベルト外れ異常を報知する。図４（ｃ）はその表示の一例であり、２つの表示「Ｈ」、「１１」を交互に点滅させる。
【００２２】
また、制御手段２５は、燃焼開始後の所定時間（２分）以内にバーナ７の立ち消えを検知しなかった場合、記憶手段２２の情報を初期化するようにし、燃焼開始後の所定時間（２分）以降にバーナ７の立ち消えを検知した場合、記憶手段２２の連続回数を記憶しないようにしている。
【００２３】
上記構成において、図５を参照しながら動作を説明すると、ステップ２６で、電源スイッチ２０ａがオンされると、ステップ２７で記憶手段２２より、着火毎の不着火または着火して所定時間内の立ち消えの連続回数（以下、ファンベルト外れカウントという）を読み出す。ステップ２８でスタート一時停止スイッチ２１ｄがオンされて、ステップ２９で着火動作を開始する。
【００２４】
ステップ３０へ進み、熱電対１５によって着火検知したかどうかを判定し、着火検知したら、ステップ３１で燃焼表示ランプ２４ｈを点灯する。ステップ３２で所定時間（２０秒）経過しても着火検知できなかった場合、不着火と判定し、ステップ３３でファンベルト外れカウンタＮを＋１し、ファンベルト外れカウンタＮを記憶手段２２に記憶する。ステップ３４でファンベルト外れカウンタＮが第１の所定値未満である場合、ステップ３５へ進み、表示手段２４により不着火異常を報知する。ファンベルト外れカウンタＮが第１の所定値以上である場合、ステップ３６へ進み、ファンベルト外れ異常を報知する。
【００２５】
ステップ３１で燃焼表示ランプ２４ｈを点灯すると、ステップ３７へ進み、熱電対１５によって炎が立ち消えしたかどうかを判定し、ステップ３８で着火してから所定時間（２分）が経過しない間に、立ち消え検知した場合、ステップ３９でファンベルト外れカウンタＮを＋１し、ファンベルト外れカウンタＮを記憶手段２２に記憶する。ステップ４０でファンベルト外れカウンタＮが第１の所定値未満である場合、ステップ４１へ進み、立ち消え異常を報知する。ファンベルト外れカウンタＮが第１の所定値以上である場合、ステップ３６へ進み、ファンベルト外れ異常を報知する。
【００２６】
ステップ３８で着火してから所定時間が経過した時、ステップ４２でファンベルト外れカウンタＮ＝０として初期化し、ファンベルト外れカウンタＮを記憶手段２２に記憶する。それ以降、ステップ４３で炎が立ち消えしたかどうか判定し続けるが、この時立ち消え検知したとしても、ファンベルト外れカウンタＮはそのままで、必ず、ステップ４１で立ち消え異常を報知する。
【００２７】
ステップ４４で乾燥運転を終了するか判定し、終了すると判定されれば、ステップ４５で次工程へ進む。
【００２８】
これにより、不着火、立ち消えを連続して数回検知した場合、ファンベルトが外れていると判断して、ファンベルト異常を報知することができる。
【００２９】
ここで、第１の所定値は、本来の不着火、立ち消えの原因によりこれらの異常が起こったときに最低１回は報知して使用者に点検を促さなければならないので、２以上である。そして、ファンベルト外れカウンタＮを＋１してファンベルト外れ異常を報知するかどうか判定する立ち消え検知の所定時間（本実施例では、２分）は、ファンベルトが外れている時に立ち消え検知する可能性のある時間の上限である。
【００３０】
（実施例２）
図１における制御手段２５は、入力設定手段２１の特殊操作により記憶手段２２に記憶されているファンベルト外れカウンタを初期化できるようにしている。他の構成は上記実施例１と同じである。
【００３１】
上記構成において図６を参照しながら動作を説明すると、ステップ４６で電源スイッチ２０ａがオンされ、ステップ４７で同時にふんわり切換スイッチ２１ａとコーススイッチ２１ｃが同時に押されている場合に限り、ステップ４８以下に進み、それ以外はステップ４９で通常の運転行程を行う。
【００３２】
ステップ４８では、標準ランプ２４ｄを点滅させ、残り時間表示ランプ２４ｃにファンベルト外れカウンタを表示させる。ステップ５０でスタート一時停止スイッチ２１ｄが押されると、ステップ５１でファンベルト外れカウンタをクリアして、それを記憶手段２２に記憶してステップ５２で運転を終了させる。
【００３３】
これにより、製造工程で検査のために起こした不着火、立ち消え検知はファンベルト外れカウンタにカウントされず、初めからファンベルト外れ異常になることはない。また、修理検査時にも、修理検査終了時にこれを用いることにより、修理検査終了直後にファンベルト外れ異常になることはない。
【００３４】
（実施例３）
図１における制御手段２５は、ファンベルト外れ異常を所定時間（たとえば、５分）報知し、その間は運転を行わず、所定時間（５分）経過すると、記憶手段２２に記憶されているファンベルト外れカウンタを初期化して、電源投入手段２０により乾燥機本体１への通電を切りにする。また、制御手段２５は、ファンベルト外れ異常を報知して所定時間が経過する前に、電源投入手段２０により乾燥機本体への通電を切りにされた場合、その後、通電を入りにされると、ファンベルト外れ異常を所定時間（５分）報知し、報知中は運転を行わないようする。他の構成は上記実施例１と同じである。
【００３５】
上記構成において図７を参照しながら動作を説明すると、ステップ５３でファンベルト外れ異常報知を開始する。このとき、前記の通り、ファンベルト外れカウンタは第１の所定値になっている。また、異常報知中は運転を行うことはできない。ステップ５４へ進み、異常を所定時間報知すると、ステップ５５でファンベルト外れカウンタＮを０とし、ファンベルト外れカウンタＮを記憶手段２２に記憶し、ステップ５６で電源をオートオフする。
【００３６】
その後、ステップ５７で、電源スイッチ２０ａがオンされると、ステップ５８で、ファンベルト外れカウンタＮを読み出す。ここで、ファンベルト外れカウンタＮ＝０となっていて、ステップ５９でファンベルト外れカウンタと第１の所定値を比較するが、必ず所定値未満となるので、ステップ６０で通常運転を開始する。
【００３７】
一方、ステップ５４で、異常を所定時間報知している間に、ステップ６１で電源スイッチ２０ａがオフされた場合、その後、ステップ５７で電源スイッチ２０ａがオンされると、ステップ５８で、ファンベルト外れカウンタＮを読み出す。ここで、ファンベルト外れカウンタＮは第１の所定値に等しいままなので、ステップ５９でファンベルト外れカウンタＮと第１の所定値を比較したとき、必ず所定値以上となるので、ステップ５３へ戻ってファンベルト外れ異常を開始する。
【００３８】
これにより、ファンベルト外れ異常報知を開始して所定時間（５分）経過しないと、異常報知を終了することはない、すなわち、運転を行うことができなくなっている。
【００３９】
【発明の効果】
以上のように本発明の請求項１記載の発明によれば、衣類を回転撹拌させる回転ドラムと、前記回転ドラムを回転させるモータと、前記回転ドラム内へ熱風を導入し排出させる送風手段と、前記モータと前記送風手段との間に張設されたベルトと、前記熱風の熱源となるガス燃焼部と、前記ガス燃焼部の温度を検知する燃焼部温度検知手段と、異常が生じたとき前記異常を報知する報知手段と、前記燃焼部温度検知手段からの出力を入力し前記送風手段、ガス燃焼部および報知手段を制御する制御手段とを備え、前記制御手段は、着火動作開始後、前記燃焼部温度検知手段により検知した温度が所定時間内にある一定値まで上がらないか、またはある一定値以上上昇変化しない場合前記報知手段により不着火異常の報知をし、前記着火動作開始後、前記燃焼部温度検知手段により検知した温度が所定時間内にある一定値まで上がるか、またはある一定値以上上昇変化した後、前記燃焼部温度検知手段により検知した温度がある一定値まで下がるか、またはある一定値以上下降変化した場合報知手段により立ち消え異常の報知をし、前記ガス燃焼部の不着火異常または立ち消え異常が連続して生じたとき、前記連続して生じた回数が所定回数であれば、前記報知手段により前記不着火異常の報知および立ち消え異常の報知と異なる前記ベルトの外れ異常の報知するように構成したから、着火動作をしているのに着火しない、または、着火したのに立ち消えするという異常が連続で所定回数以上起こった場合、不着火異常報知または立ち消え異常報知とは別に、送風手段の異常、すなわち、ファンベルトが外れているという異常を報知することができる。
【００４０】
また、請求項２に記載の発明によれば、制御手段は、報知手段により送風手段の異常が生じたことを所定時間報知している間は運転を行わず、所定時間報知した後、乾燥機本体への通電を切りにするようにしたから、異常報知中は着火動作をさせることができないので、ファンベルトが外れている場合、着火動作の繰り返しを防ぐことができる。
【００４１】
また、請求項３に記載の発明によれば、乾燥機本体への通電を入り切りする電源投入手段を備え、制御手段は、送風手段の異常を報知している間に前記電源投入手段により前記乾燥機本体への通電を切りにされた場合、その後通電を入りにされると、送風手段の異常を所定時間報知し、報知中は運転を行わないようにしたから、異常報知中に電源を切られ、すぐ電源を入れられた場合でも、所定時間は着火動作をさせないので、着火動作の繰り返しを防ぐことができる。
【図面の簡単な説明】
【図１】  本発明の第１の実施例のガス衣類乾燥機のブロック図
【図２】  同ガス衣類乾燥機の縦断面図
【図３】  同ガス衣類乾燥機の操作表示部の拡大正面図
【図４】  （ａ）同ガス衣類乾燥機の不着火異常表示の一例を示す図
（ｂ）同ガス衣類乾燥機の立ち消え異常表示の一例を示す図
（ｃ）同ガス衣類乾燥機のファンベルト外れ異常表示の一例を示す図
【図５】  同ガス衣類乾燥機の動作フローチャート
【図６】  本発明の第２の実施例のガス衣類乾燥機の動作フローチャート
【図７】  本発明の第３の実施例のガス衣類乾燥機の動作フローチャート
【符号の説明】
３  ファン（送風手段）
４  回転ドラム
７  バーナ（ガス燃焼部）
１４  燃焼部温度検知手段
２２  記憶手段
２４  表示手段（報知手段）
２５  制御手段
【図１】
0003814892.tif 000002
【図２】
0003814892.tif 000003
【図３】
0003814892.tif 000004
【図４】
0003814892.tif 000005
【図５】
0003814892.tif 000006
【図６】
0003814892.tif 000007
【図７】
0003814892.tif 000008